【手続補正書】
【提出日】平成24年8月8日(2012.8.8)
【手続補正１】
【補正対象書類名】明細書
【補正対象項目名】発明の名称
【補正方法】変更
【補正の内容】
【発明の名称】領域特定方法、領域特定装置、プログラム、サーバ及びシステム
【手続補正２】
【補正対象書類名】明細書
【補正対象項目名】０００１
【補正方法】変更
【補正の内容】
【０００１】
本発明は、背景と被写体とが混在する画像から被写体の領域を特定する領域特定方法、領域特定装置、プログラム、サーバ及びシステムに関する。
【手続補正３】
【補正対象書類名】明細書
【補正対象項目名】０００５
【補正方法】変更
【補正の内容】
【０００５】
本発明は、このような問題に鑑みてなされたものであり、被写体領域の特定を適正に行うことができる領域特定方法、領域特定装置、プログラム、サーバ及びシステムを提供することである。
【手続補正４】
【補正対象書類名】明細書
【補正対象項目名】０００６
【補正方法】変更
【補正の内容】
【０００６】
上記課題を解決するため、請求項１に記載の発明の領域特定方法は、
背景と被写体とが存在する被写体存在画像から被写体が含まれる被写体領域を特定する領域特定方法であって、前記被写体存在画像における前記被写体領域に対応する画素値を有する画素が連続する画素集合を特定する第１特定ステップと、前記被写体存在画像における複数の画像境界のうち、所定の表示領域に表示された状態の下側の画像境界に対応する下側画像境界を特定する第２特定ステップと、前記第１特定ステップにより特定された前記画素集合と、前記第２特定ステップにより特定された前記下側画像境界とにより囲まれる背景に対応する領域を構成する各画素を、前記被写体領域に対応させるように変更する変更ステップと、を備えたことを特徴としている。
【手続補正５】
【補正対象書類名】明細書
【補正対象項目名】０００７
【補正方法】変更
【補正の内容】
【０００７】
請求項２に記載の発明は、請求項１に記載の領域特定方法において、
前記第１特定ステップは、前記被写体存在画像における前記被写体領域に対応する画素が連続する複数の画素集合の中で、面積が最大となる画素集合を特定することを特徴としている。
【手続補正６】
【補正対象書類名】明細書
【補正対象項目名】０００８
【補正方法】変更
【補正の内容】
【０００８】
請求項３に記載の発明は、請求項１又は２に記載の領域特定方法において、
前記被写体存在画像から被写体の顔を検出する検出ステップを更に備え、前記第２特定ステップは、前記被写体存在画像の複数の画像境界のうち、前記検出ステップにより前記被写体存在画像から検出された被写体の顔の向きに対して下側となる画像境界に対応する画像境界を前記下側画像境界として特定することを特徴としている。
【手続補正７】
【補正対象書類名】明細書
【補正対象項目名】０００９
【補正方法】変更
【補正の内容】
【０００９】
請求項４に記載の発明は、請求項１〜３の何れか一項に記載の領域特定方法において、
前記変更ステップは、更に、前記第１特定ステップにより特定された前記画素集合と、前記第２特定ステップにより特定された前記下側画像境界以外の画像境界とにより囲まれる各画素を、前記被写体領域に対応させずに当該被写体領域を抽出するための抽出用画像を生成することを特徴としている。
【手続補正８】
【補正対象書類名】明細書
【補正対象項目名】００１０
【補正方法】変更
【補正の内容】
【００１０】
請求項５に記載の発明は、請求項４に記載の領域特定方法において、
ユーザによる操作入力部の所定操作に基づいて、任意の領域の各画素の対応する領域を変更する指示が入力されたか否かを判定する判定ステップと、この判定ステップにより前記指示が入力されたと判定されると、前記抽出用画像における各画素の対応する領域に変更して前記抽出用画像を修正する修正ステップと、を更に備えることを特徴としている。
【手続補正９】
【補正対象書類名】明細書
【補正対象項目名】００１１
【補正方法】変更
【補正の内容】
【００１１】
請求項６に記載の発明は、請求項５に記載の領域特定方法において、
前記所定の表示領域に表示された前記被写体存在画像にて、任意の境界線を指定する指定ステップを更に備え、前記判定ステップは、更に、前記変更ステップにより生成された前記抽出用画像における前記境界線に対応する領域の各画素の対応する領域を変更する指示が入力されたか否かを判定し、前記修正ステップは、更に、前記判定ステップにより前記抽出用画像における前記境界線に対応する領域について、前記各画素の対応する領域を変更する指示が入力されたと判定されると、前記抽出用画像における前記画素を、背景画素集合に対応させて前記抽出用画像を修正することを特徴としている。
【手続補正１０】
【補正対象書類名】明細書
【補正対象項目名】００１２
【補正方法】変更
【補正の内容】
【００１２】
請求項７に記載の発明は、請求項１〜６の何れか一項に記載の領域特定方法において、
前記被写体存在画像は、被写体となる人の胸から上を撮像した画像であることを特徴としている。
【手続補正１１】
【補正対象書類名】明細書
【補正対象項目名】００１３
【補正方法】変更
【補正の内容】
【００１３】
請求項８に記載の発明の領域特定装置は、
背景と被写体とが存在する被写体存在画像から被写体が含まれる被写体領域を特定する領域特定装置であって、前記被写体存在画像における前記被写体領域に対応する画素値を有する画素が連続する画素集合を特定する第１特定手段と、前記被写体存在画像における複数の画像境界のうち、所定の表示領域に表示された状態の下側の画像境界に対応する下側画像境界を特定する第２特定手段と、前記第１特定手段により特定された前記画素集合と、前記第２特定手段により特定された前記下側画像境界とにより囲まれる背景に対応する領域を構成する各画素を、前記被写体領域に対応させるように変更する変更手段と、を備えたことを特徴としている。
【手続補正１２】
【補正対象書類名】明細書
【補正対象項目名】００１４
【補正方法】変更
【補正の内容】
【００１４】
請求項９に記載の発明のプログラムは、
背景と被写体とが存在する被写体存在画像から被写体が含まれる被写体領域を特定する領域特定装置のコンピュータを、前記被写体存在画像における前記被写体領域に対応する画素値を有する画素が連続する画素集合を特定する第１特定手段、前記被写体存在画像における複数の画像境界のうち、所定の表示領域に表示された状態の下側の画像境界に対応する下側画像境界を特定する第２特定手段、前記第１特定手段により特定された前記画素集合と、前記第２特定手段により特定された前記下側画像境界とにより囲まれる背景に対応する領域を構成する各画素を、前記被写体領域に対応させるように変更する変更手段、として機能させることを特徴としている。
請求項１０に記載の発明のサーバは、
端末装置とネットワークを介して接続されたサーバであって、端末装置から被写体存在画像の画像データを受信する受信手段と、受信した被写体存在画像における被写体が含まれる被写体領域に対応する画素値を有する画素が連続する画素集合を特定する第１特定手段と、前記被写体存在画像における複数の画像境界のうち、所定の表示領域に表示された状態の下側の画像境界に対応する下側画像境界を特定する第２特定手段と、前記第１特定手段により特定された前記画素集合と、前記第２特定手段により特定された前記下側画像境界とにより囲まれる背景に対応する領域を構成する各画素を、前記被写体領域に対応させるように変更する変更手段と、を備えることを特徴としている。
請求項１１に記載の発明のシステムは、
端末装置と、この端末装置とネットワークを介して接続されたサーバとを備えたシステムであって、前記端末装置は、被写体存在画像の画像データを送信する送信手段を備え、前記サーバは、前記端末装置から送信された被写体存在画像の画像データを受信する受信手段と、受信した被写体存在画像における被写体が含まれる被写体領域に対応する画素値を有する画素が連続する画素集合を特定する第１特定手段と、前記被写体存在画像における複数の画像境界のうち、所定の表示領域に表示された状態の下側の画像境界に対応する下側画像境界を特定する第２特定手段と、前記第１特定手段により特定された前記画素集合と、前記第２特定手段により特定された前記下側画像境界とにより囲まれる背景に対応する領域を構成する各画素を、前記被写体領域に対応させるように変更する変更手段と、を備えることを特徴としている。
【手続補正１３】
【補正対象書類名】明細書
【補正対象項目名】００１５
【補正方法】変更
【補正の内容】
【００１５】
本発明によれば、被写体領域の特定を適正に行うことができる。
【手続補正１４】
【補正対象書類名】特許請求の範囲
【補正対象項目名】全文
【補正方法】変更
【補正の内容】
【特許請求の範囲】
【請求項１】
背景と被写体とが存在する被写体存在画像から被写体が含まれる被写体領域を特定する領域特定方法であって、
前記被写体存在画像における前記被写体領域に対応する画素値を有する画素が連続する画素集合を特定する第１特定ステップと、
前記被写体存在画像における複数の画像境界のうち、所定の表示領域に表示された状態の下側の画像境界に対応する下側画像境界を特定する第２特定ステップと、
前記第１特定ステップにより特定された前記画素集合と、前記第２特定ステップにより特定された前記下側画像境界とにより囲まれる背景に対応する領域を構成する各画素を、前記被写体領域に対応させるように変更する変更ステップと、
を備えたことを特徴とする領域特定方法。
【請求項２】
前記第１特定ステップは、
前記被写体存在画像における前記被写体領域に対応する画素が連続する複数の画素集合の中で、面積が最大となる画素集合を特定することを特徴とする請求項１に記載の領域特定方法。
【請求項３】
前記被写体存在画像から被写体の顔を検出する検出ステップを更に備え、
前記第２特定ステップは、
前記被写体存在画像の複数の画像境界のうち、前記検出ステップにより前記被写体存在画像から検出された被写体の顔の向きに対して下側となる画像境界に対応する画像境界を前記下側画像境界として特定することを特徴とする請求項１又は２に記載の領域特定方法。
【請求項４】
前記変更ステップは、更に、
前記第１特定ステップにより特定された前記画素集合と、前記第２特定ステップにより特定された前記下側画像境界以外の画像境界とにより囲まれる各画素を、前記被写体領域に対応させずに当該被写体領域を抽出するための抽出用画像を生成することを特徴とする請求項１〜３の何れか一項に記載の領域特定方法。
【請求項５】
ユーザによる操作入力部の所定操作に基づいて、任意の領域の各画素の対応する領域を変更する指示が入力されたか否かを判定する判定ステップと、
この判定ステップにより前記指示が入力されたと判定されると、前記抽出用画像における各画素の対応する領域に変更して前記抽出用画像を修正する修正ステップと、を更に備えることを特徴とする請求項４に記載の領域特定方法。
【請求項６】
前記所定の表示領域に表示された前記被写体存在画像にて、任意の境界線を指定する指定ステップを更に備え、
前記判定ステップは、更に、
前記変更ステップにより生成された前記抽出用画像における前記境界線に対応する領域の各画素の対応する領域を変更する指示が入力されたか否かを判定し、
前記修正ステップは、更に、
前記判定ステップにより前記抽出用画像における前記境界線に対応する領域について、前記各画素の対応する領域を変更する指示が入力されたと判定されると、前記抽出用画像における前記画素を、背景画素集合に対応させて前記抽出用画像を修正することを特徴とする請求項５に記載の領域特定方法。
【請求項７】
前記被写体存在画像は、被写体となる人の胸から上を撮像した画像であることを特徴とする請求項１〜６の何れか一項に記載の領域特定方法。
【請求項８】
背景と被写体とが存在する被写体存在画像から被写体が含まれる被写体領域を特定する領域特定装置であって、
前記被写体存在画像における前記被写体領域に対応する画素値を有する画素が連続する画素集合を特定する第１特定手段と、
前記被写体存在画像における複数の画像境界のうち、所定の表示領域に表示された状態の下側の画像境界に対応する下側画像境界を特定する第２特定手段と、
前記第１特定手段により特定された前記画素集合と、前記第２特定手段により特定された前記下側画像境界とにより囲まれる背景に対応する領域を構成する各画素を、前記被写体領域に対応させるように変更する変更手段と、
を備えたことを特徴とする領域特定装置。
【請求項９】
背景と被写体とが存在する被写体存在画像から被写体が含まれる被写体領域を特定する領域特定装置のコンピュータを、
前記被写体存在画像における前記被写体領域に対応する画素値を有する画素が連続する画素集合を特定する第１特定手段、
前記被写体存在画像における複数の画像境界のうち、所定の表示領域に表示された状態の下側の画像境界に対応する下側画像境界を特定する第２特定手段、
前記第１特定手段により特定された前記画素集合と、前記第２特定手段により特定された前記下側画像境界とにより囲まれる背景に対応する領域を構成する各画素を、前記被写体領域に対応させるように変更する変更手段、
として機能させることを特徴とするプログラム。
【請求項１０】
端末装置とネットワークを介して接続されたサーバであって、
端末装置から被写体存在画像の画像データを受信する受信手段と、
受信した被写体存在画像における被写体が含まれる被写体領域に対応する画素値を有する画素が連続する画素集合を特定する第１特定手段と、
前記被写体存在画像における複数の画像境界のうち、所定の表示領域に表示された状態の下側の画像境界に対応する下側画像境界を特定する第２特定手段と、
前記第１特定手段により特定された前記画素集合と、前記第２特定手段により特定された前記下側画像境界とにより囲まれる背景に対応する領域を構成する各画素を、前記被写体領域に対応させるように変更する変更手段と、
を備えることを特徴とするサーバ。
【請求項１１】
端末装置と、この端末装置とネットワークを介して接続されたサーバとを備えたシステムであって、
前記端末装置は、
被写体存在画像の画像データを送信する送信手段を備え、
前記サーバは、
前記端末装置から送信された被写体存在画像の画像データを受信する受信手段と、
受信した被写体存在画像における被写体が含まれる被写体領域に対応する画素値を有する画素が連続する画素集合を特定する第１特定手段と、
前記被写体存在画像における複数の画像境界のうち、所定の表示領域に表示された状態の下側の画像境界に対応する下側画像境界を特定する第２特定手段と、
前記第１特定手段により特定された前記画素集合と、前記第２特定手段により特定された前記下側画像境界とにより囲まれる背景に対応する領域を構成する各画素を、前記被写体領域に対応させるように変更する変更手段と、
を備えることを特徴とするシステム。